(57)【要約】【課題】住宅に取り付ける加湿ユニットに使用される自動給排水装置において、タンク内の汚れの影響を受けないで、給排水を可能とすることを目的とする。【解決手段】給水管に接続した給水弁と、排水管に接続した排水弁を設け、加湿ユニットのタンクには上方に給水管、最下部には排水管、給水管と排水管の間に越流管を設け、あらかじめ設定した時間にもとづき給水および排水をおこなうことにより、タンク内の汚れの影響を受けない自動給排水装置が得られる。【選択図】図１
2006292249.tif 000002
【特許請求の範囲】
【請求項１】
給水管と排水管と越流管を装着したタンクを設け、給水管に接続される給水弁と排水管に接続される排水弁をあらかじめ定められた時間に基づき開閉することにより、自動的に給排水を可能とする加湿ユニットの給排水装置。
【請求項２】
加湿ユニットの吹出し口に湿度センサーを装着し、湿度センサーからの検出値によりタンク内の水の有無を判断し、運転中かつ湿度センサー検出値が規定値以下のときに運転を停止し、給水管に接続された給水弁を開くようにした、加湿ユニットの給排水装置。
【請求項３】
タンク内に水位に応じ移動し満水位置を検出する満水フロートを設け、給水は加湿運転の時間に応じて開始すると共に、満水フロートの位置検出装置をタンクが装着される本体側に設けてなる請求項１記載の加湿ユニットの給排水装置。
【請求項４】
一定時間ごとにあらかじめ定められた時間排水したのち給水をおこない、タンク内の汚れを除去する洗浄制御を設けた請求項１または２記載の加湿ユニットの給排水装置。
【請求項５】
一定時間ごとにあらかじめ定められた時間排水したのち、満水検知用の満水フロートが作動するまで給水をおこない、タンク内の汚れを除去する洗浄制御を設けた請求項３記載の加湿ユニットの給排水装置。
【請求項６】
一定時間ごとに排水をおこなったのち給水をおこなう洗浄制御において給水開始時の初期の段階で、排水管に接続した排水弁を開放し、給水と排水を同時におこなうようにした請求項１、２または３記載の加湿ユニットの給排水装置。
【請求項７】
加湿をおこなわない時期にタンク内の水に雑菌が繁殖するのを防止するために、排水管に接続された排水弁を一定時間開放し、タンク内の水を排出したのち、タンク内に水を給水しないで待機するスイッチを設けた請求項１、２または３記載の加湿ユニットの給排水装置。
【請求項８】
タンクに越流管を設けるとともに、給水作動時に一定時間経過しても満水検出用の満水フロートが作動しない場合異常と判定し、給水を停止すると共に警報音もしくはＬＥＤなどの手段にて異常を報知するようにした請求項３記載の加湿ユニットの給排水装置。
【発明の詳細な説明】
【技術分野】
【０００１】
本発明は、住宅に設置される自動給排水式加湿ユニットの給水および排水の制御方式に関する。
【背景技術】
【０００２】
従来、この種の加湿ユニットの給排水装置は、フロートスイッチにより制御されるものが知られている（例えば、特許文献１参照）。
【０００３】
以下、その給排水装置について、図５を参照しながら説明する。
【０００４】
図に示すように、加湿器のタンク１０１に固定されたフロートバー１０２にフロート１０３を装着したフロートスイッチを設け、フロート１０３が規定水面レベルＡまで低下すると水道に直結した給水用電磁弁１０４が開となり、タンク１０１への給水が開始されフロート１０３が規定水面レベルＢまで上昇すると、給水用電磁弁１０４が閉となり給水が終了する。
【特許文献１】特開昭６３−８３５３１号公報
【発明の開示】
【発明が解決しようとする課題】
【０００５】
このような従来の加湿ユニットの給排水装置では、給水間隔が頻繁にならないようにするため、フロートバーの給水開始位置Ａと給水停止位置Ｂとの距離を確保する必要がある一方、フロートバーにスケール等の汚れが付着することにより、フロートがひっかかり水位検知ができなくなるという課題があり、フロートバーの長スパンにわたってフロートがひっかからないで摺動できることが要求されている。
【０００６】
本発明は、このような従来の課題を解決するものであり、タンクへの給排水をおこなう際にスケール等の汚れの影響を受けない加湿ユニットの給排水装置を提供することを目的としている。
【０００７】
また、タンク内の水が常に残ることにより、タンク内にスライム状の汚れが付着しやすいという課題があり、タンク内を洗浄することが要求されている。
【０００８】
本発明は、このような従来の課題を解決するものであり、タンク内にスライムが発生しにくい加湿ユニットの給排水装置を提供することを目的としている。
【０００９】
また、フロートの引っかかり等により満水検知ができなかった場合、タンクからオーバーフローするという課題があり、加湿ユニットから水がオーバーフローしない構造が要求される。
【００１０】
本発明は、このような従来の課題を解決するものであり、満水フロートが引っかかり満水検知ができない場合でも、加湿ユニットからオーバーフローすることのない加湿ユニットの給排水装置を提供することを目的としている。
【課題を解決するための手段】
【００１１】
本発明の加湿ユニットの給排水装置は上記目的を達成するために、給水管と排水管と越流管を装着したタンクを設け、給水管に接続される給水弁と排水管に接続される排水弁を時間に基づき開閉することとしたものである。
【００１２】
また他の手段では、加湿ユニット吹出し口に湿度センサーを装着し、湿度センサーからの検出値によりタンク内の水の有無を判断し、運転中かつ湿度センサー検出値が規定値以下のときに運転を停止し、給水管に接続された給水弁を空けるようにしたものである。
【００１３】
また他の手段は、タンク内に水位に応じ移動し、満水位置を検出する満水フロートを設け、給水は加湿運転の時間に応じて開始すると共に、満水フロートの位置検出装置をタンクが装着される本体側に設けたものである。
【００１４】
また他の手段は、一定時間ごとにあらかじめ定められた時間排水したのち、給水をおこない、タンク内の汚れを除去する洗浄制御を設けたものである。
【００１５】
また他の手段は、一定時間ごとにあらかじめ定められた時間排水したのち、満水検知用の満水フロートが作動するまで給水をおこない、タンク内の汚れを除去する洗浄制御を設けたものである。
【００１６】
また他の手段は一定時間ごとに排水をおこなったのち給水をおこなう洗浄制御において給水開始時の初期の段階で、排水管に接続した排水弁を開放し、給水と排水を同時におこなうようにしたものである。
【００１７】
また他の手段では、加湿をおこなわない時期にタンク内の水に雑菌が繁殖するのを防止するために、排水管に接続された排水弁を一定時間開放し、タンク内の水を排出したのち、タンク内に水を給水しないで待機するスイッチを設けたものである。
【００１８】
また他の手段では、タンクに越流管を設け、給水作動時に一定時間経過しても満水検出用の満水フロートが作動しない場合異常と判定し、給水を停止すると共に警報音もしくはＬＥＤなどの手段にて異常を報知するようにしたものである。
【発明の効果】
【００１９】
本発明によれば、スケール等汚れの影響を受けないで給排水するという効果のある加湿ユニットの給排水装置を提供できる。
【００２０】
また、タンク内に汚れが付着しにくいという効果のある効果のある加湿ユニットの給排水装置を提供できる。
【００２１】
また、満水検知が不可能になった場合でもタンクからオーバーフローしないという効果のある加湿ユニットの給排水装置を提供できる。
【発明を実施するための最良の形態】
【００２２】
本発明の請求項１記載の発明は、給水管と排水管と越流管を装着したタンクを設け、給水管に接続される給水弁と排水管に接続される排水弁を時間に基づき開閉することとしたものであり、フロートを使用せずタンクへの給排水を可能にするという作用を有する。
【００２３】
また、請求項２記載の発明は、加湿ユニットの吹出し口に湿度センサーを装着し、湿度センサーからの検出値によりタンク内の水の有無を判断し、運転中かつ湿度センサー検出値が規定値以下のときに運転を停止し、給水管に接続された給水弁を空けるようにしたものであり、請求項１同様フロートを使用せずタンクへの給排水を可能にするという作用を有する。
【００２４】
また、請求項３記載の発明は、タンク内に水位に応じ移動し満水位置を検出する満水フロートを設け、給水は加湿運転の時間に応じて開始すると共に、満水フロートの位置検出装置をタンクが装着される本体側に設けたものであり、フロートの摺動長さが短くする作用を有する。
【００２５】
また、請求項４および請求項５記載の発明は、一定時間ごとにあらかじめ定められた時間排水したのち、設定時間給水をおこない、タンク内の汚れを除去する洗浄制御を設けたものであり、タンク内への汚れがつきにくいという作用を有する。
【００２６】
また、請求項７記載の発明は、排水管に接続された排水弁を一定時間開放し、タンク内の水を排出したのち、タンク内に水を給水しないで待機するスイッチを設けたものであり、加湿を使用しない期間にタンク内の水をなくす作用を有する。
【００２７】
また、請求項８記載の発明は、タンクに越流管を設け、給水作動時に一定時間経過しても満水検出用フロートが作動しない場合異常と判定し、給水を停止すると共に警報音もしくはＬＥＤなどの手段にて異常を報知するようにしたものであり、フロートにスケール等の汚れが付着し、正常な動作をしなかった場合でも加湿ユニットから水があふれないという作用を有する。
【００２８】
以下、本発明の実施の形態について図面を参照しながら説明する。
【００２９】
（実施の形態１）
図１に示すように、加湿ユニット１の内部には下部に水をためるためのタンク２を設けた加湿エンジン３を設け、前記タンク２には止水栓（図示せず）および給水弁４を介して水道管に接続された給水管５が上部に装着されるとともに、最下部には排水弁６を介して排水口（図示せず）に接続される配水管７が装着される。また、タンク２の給水管５接続部の下部に越流管８が接続され、加湿ユニット１の上面にはダクト９が接続される。
【００３０】
上記構成において、運転信号によりタンク２の容量によりあらかじめ定められた時間給水弁４が開きタンク２に水が給水され加湿エンジン３の内部に設けられた送風機（図示せず）により吸引された室内空気にタンク２内の水が加湿され、ダクト９を通して各部屋に吹き出されることになる。さらに運転時間が最大加湿状態において、タンク２が空になるまでの時間より短い設定時間になると、給水弁４が再度開きタンク２に給水されることになる。また、越流管８以上に給水されると越流管８からオーバーフローすることになる。
【００３１】
（実施の形態２）
図２に示すように、加湿ユニット１１の内部には下部に水をためるためのタンク１２を設けた加湿エンジン１３を設け、前記タンク１２には止水栓（図示せず）および給水弁１４を介して水道管に接続された給水管１５が上部に装着されるとともに、下部には排水弁１６を介して排水口（図示せず）に接続される配水管１７が装着される。また、タンク１２の給水管１５接続部の下部に越流管１８が接続され、加湿ユニット１１の上面にはダクト１９が接続される。また、加湿エンジン１３の上部吹き出し口に湿度検知部２０を装着し、湿度検知が一定値以下の時に給水弁１４を開としたものである。
【００３２】
上記構成において、運転信号により加湿エンジン１３の内部に設けられた送風機（図示せず）により吸引された室内空気が加湿エンジン１３の吹き出し部１３ａからダクト１９に向かって吹き出すが、タンク１２内に水がないため湿度検知が一定値（７０％以下）となり、給水弁１４が開となりタンク１２に給水されることになる。また、給水弁１４の開時間はあらかじめタンク１２の容量により定められている。さらに、加湿ユニット１１が運転することにより、タンク１２内の水がなくなると、湿度検知部２０の検出値がまた一定値（７０％）以下となり、給水がふたたびおこなわれることになる。
【００３３】
（実施の形態３）
図３に示すように、加湿エンジン２３の下部に水をためるためのタンク２２を設け、このタンク２２の上部にはタンクフタ２４が装着され、このタンクフタ２４には上下にスライドし、下部に満水フロート２５を固定し、上部にマグネット２７を装着したフロートバー２６が取り付けられている。また、満水フロート２５より上方に給水管２９が取り付けられている。一方加湿エンジン２３にはフロートバー２６に装着されたマグネット２７の上方に検出装置２８が設けられている。
【００３４】
上記構成において、給水口２９からタンク２２内に給水され、水位があがり満水フロート２５が上昇し、フロートバー２６の上部に装着したマグネット２７が検出装置２８に接近し、給水管２９に接続された給水弁が閉となり給水が止まる。また、フロートバー２６のしゅう動部は水面よりも上方にあり水が付着しない構成となっている。
【００３５】
（実施の形態４）
図１において、一定時間ごとに排水弁６をタンク２内の水が満水位置からタンク２内の水が排水されるまでの時間以上開にしたのち、給水弁４を一定時間開にし、給水をおこなうようにしてある。
【００３６】
上記構成において、タンク２内の水がすべて排水されたのち給水されるためタンク２内の壁面にスライム状の汚れが付着しないことになる。
【００３７】
（実施の形態５）
図３において、一定時間ごとに排水弁をタンク２２内の水が満水位置からタンク２２内の水が排水されるまでの時間以上開にしたのち、給水弁を開きタンク２２内に設置された満水フロート２５が上昇し、満水検知位置まで給水をおこなう。
【００３８】
上記構成において、タンク２２内の水がすべて排水されたのち給水されるためタンク２２内の壁面にスライム状の汚れが付着しないことになる。
【００３９】
（実施の形態６）
図１において、タンク２の上部に給水管５が設けられ、タンク２の最下部に排水管７が設けられている。
【００４０】
上記構成において、タンク２内の壁面の汚れをとるために、一定時間ごとにタンク２内の水が全て排水されたのち、タンク２内の水が満水となるよう給水弁４を規定時間開く洗浄制御のなかで、給水弁４を開き給水を開始した最初の数分間排水弁６を同時に開放することにより、タンク２の壁面に付着した汚れを効率的に取ることになる。なお、本考案では給水時間はタンク２の容量から定めた規定値としたが、図３に記載した満水フロートにより満水位置を検出し、給水弁４を閉止するようにしても良い。
【００４１】
（実施の形態７）
図１において、排水弁６に連動した排水切換スイッチを設け、排水切換スイッチをＯＮにすることにより、タンク２内の水が排水される時間以上排水弁６を開にしたのち、排水弁６を閉にするとともに、排水切換スイッチがＯＮになっている間は、運転スイッチを操作しても加湿ユニットの運転ができないようになっている。
【００４２】
上記構成において、加湿運転をおこなわない時期に、排水切換スイッチをＯＮにすることにより、タンク２内の水を空にすることになり、タンク２内の水の汚れ防止および、使用しない時期に洗浄制御による水の使用が不要となる。
【００４３】
（実施の形態８）
図４に示すように、加湿エンジン３３の下部に水を溜めるためのタンク３２を設け、このタンク３２の上部にはタンクフタ３４が装着され、このタンクフタ３４には上下にスライドし、下部に満水フロート３５を固定し、上部にマグネット３７を装着したフロートバー３６が取り付けられている。また、満水フロート３５より上方に給水管３９が取り付けられている。一方加湿エンジン３３にはフロートバー３６に装着されたマグネット３７の上方に検知部３８が設けられている。また、タンク３２には最下部に排水管４０を設けるとともに、満水フロート３５が停止する位置より上方に越流管４１が設けられている。
【００４４】
上記構成において、タンク３２への給水時は給水管３９から給水され、水位の上昇に伴い満水フロート３５が上昇し、フロートバー３６の上部に装着されたマグネット３７が検知部３８に接近することにより給水弁を閉鎖し、給水管３９からの給水を止めることになる。しかしながらフロートバー３６に汚れが付着するなどして、引っかかることにより正常な検知ができない場合、さらに水位が上昇し、越流管４１から水があふれることになる。  このとき、タンク３２の容量と給水量により定められた時間に対し５分から１０分程度長い時間給水がおこなわれたとき満水検知不良と判断し、給水弁を閉止するとともに異常検知報をおこなう。異常検知報の手段はブザーもしくはＬＥＤなどが使用される。
【産業上の利用可能性】
【００４５】
住宅に取り付ける加湿ユニットの自動給排水装置に取り付けることにより、タンク内の汚れに左右されない制御に適用できる。
【図面の簡単な説明】
【００４６】
【図１】本発明の実施の形態１、４、６および７の加湿ユニットの給排水装置の構成を示す平面図
【図２】本発明の実施の形態２の加湿ユニットの給排水装置の構成を示す平面図
【図３】本発明の実施の形態３および５の加湿ユニットエンジンを示す部分断面図
【図４】本発明の実施の形態８の加湿ユニットエンジンを示す部分断面図
【図５】従来の加湿ユニットの給排水装置を示す断面図
【符号の説明】
【００４７】
１    加湿ユニット
２    タンク
４    給水弁
５    給水管
６    排水弁
７    排水管
８    越流管
２０  湿度センサー
２５  満水フロート
２８  検出装置
４１  越流管
【図１】
2006292249.tif 000003
【図２】
2006292249.tif 000004
【図３】
2006292249.tif 000005
【図４】
2006292249.tif 000006
【図５】
2006292249.tif 000007